(57)【要約】【課題】加熱部と媒体支持部との間に媒体が詰まった場合に、当該詰まった媒体を容易に取り除くことができる記録装置を提供する。【解決手段】インクジェット式プリンター１１は、搬送経路に沿って搬送される連続紙１２に記録する記録機構１７と、搬送経路における記録機構１７よりも下流側に配置され、記録機構１７によって記録された後の連続紙１２を支持する搬送台２４及びフレーム２６と、搬送台２４及びフレーム２６と対向するように配置され、搬送台２４及びフレーム２６に支持された連続紙１２を加熱する加熱ユニット２５とを備える。加熱ユニット２５は、加熱ユニット２５における連続紙１２の搬送方向の下流側の端部に設けられたヒンジ部を回動中心として搬送台２４及びフレーム２６から離れるように回動可能になっている。【選択図】図１
2019171614.tif 000002
【特許請求の範囲】
【請求項１】
搬送経路に沿って搬送される媒体に記録する記録部と、
前記搬送経路における前記記録部よりも下流側に配置され、前記記録部によって記録された後の前記媒体を支持する媒体支持部と、
前記媒体支持部と対向するように配置され、前記媒体支持部に支持された前記媒体を加熱する加熱部と、
を備え、
前記加熱部は、前記加熱部における前記媒体の搬送方向の下流側の端部に設けられたヒンジ部を回動中心として前記媒体支持部から離れるように回動可能になっていることを特徴とする記録装置。
【請求項２】
前記加熱部の回動速度を減速するブレーキ機構を備えることを特徴とする請求項１に記載の記録装置。
【請求項３】
前記ブレーキ機構は、前記媒体支持部及び前記加熱部のうちの一方に設けられた係合部と、他方に設けられて前記係合部を摺動可能にガイドするガイド部とを備え、
前記加熱部が回動された場合に、前記係合部と前記ガイド部との間の摺動抵抗によって前記加熱部の回動速度を減速することを特徴とする請求項２に記載の記録装置。
【請求項４】
前記係合部は棒状部材によって構成され、
前記ガイド部は前記棒状部材が摺動可能に挿入される長孔を有していることを特徴とする請求項３に記載の記録装置。
【請求項５】
前記長孔には、その一部に前記棒状部材との間の摺動抵抗を増加させる摺動抵抗増加部が設けられていることを特徴とする請求項４に記載の記録装置。
【請求項６】
前記棒状部材は、前記ガイド部よりも硬い材料によって構成されていることを特徴とする請求項４または請求項５に記載の記録装置。
【請求項７】
前記加熱部が前記媒体支持部から最も離れた第１位置に回動したときに前記長孔における前記棒状部材が位置する第１領域の短手方向の幅及び前記加熱部が前記媒体支持部に最も近づいた第２位置に回動したときに前記長孔における前記棒状部材が位置する第２領域の短手方向の幅は、前記加熱部が前記第１位置と前記第２位置との間を回動するときの前記長孔における前記棒状部材が位置する第３領域の短手方向の幅よりも広いことを特徴とする請求項４〜請求項６のうちいずれか一項に記載の記録装置。
【発明の詳細な説明】
【技術分野】
【０００１】
本発明は、記録後の媒体を加熱して乾燥させる加熱部を備えた記録装置に関する。
【背景技術】
【０００２】
従来、この種の記録装置として、例えば特許文献１に示す印刷装置が知られている。こうした印刷装置は、メディアを搬送経路に沿って搬送する駆動部と、搬送されるメディアを載せる載置台と、載置台に載せられたメディアにインクを吐出するヘッドと、メディアの搬送経路におけるヘッドよりも下流側に配置された乾燥装置とを備えている。
【０００３】
乾燥装置は、メディアにおけるヘッドから吐出されたインクが付着する面に対向するように配置され、第１加熱体と、第１加熱体の下側（下流側）に配置された第２加熱体とを備えている。第１加熱体の下端部と第２加熱体の上端部とは、蝶番によって相対的に回動可能に連結されている。乾燥装置は、第１加熱体と第２加熱体とを相対的に回動させることにより、メディアの搬送経路に沿った方向において拡縮可能になっている。
【先行技術文献】
【特許文献】
【０００４】
【特許文献１】特開２０１６−２１５４２８号公報
【発明の概要】
【発明が解決しようとする課題】
【０００５】
そして、上述のような印刷装置における乾燥装置では、第１加熱体と第２加熱体とを拡大させた状態から縮小させた状態になるように相対的に回動させると、第１加熱体の上端部と第２加熱体の下端部とがメディアの搬送経路に沿って互いに近づくように屈曲する。このため、乾燥装置と載置台との間にメディアが詰まった場合、この詰まったメディアを取り除くべく第１加熱体と第２加熱体とを拡大させた状態から縮小させた状態になるように相対的に回動させても、この詰まったメディアが第１加熱体の上端部と第２加熱体の下端部との間に挟まってしまう。この結果、乾燥装置と載置台との間に詰まったメディアを取り出すことが困難になるという問題がある。
【０００６】
本発明は、このような従来技術に存在する問題点に着目してなされた。その目的は、加熱部と媒体支持部との間に媒体が詰まった場合に、当該詰まった媒体を容易に取り除くことができる記録装置を提供することにある。
【課題を解決するための手段】
【０００７】
以下、上記課題を解決するための手段及びその作用効果について記載する。
上記課題を解決する記録装置は、搬送経路に沿って搬送される媒体に記録する記録部と、前記搬送経路における前記記録部よりも下流側に配置され、前記記録部によって記録された後の前記媒体を支持する媒体支持部と、前記媒体支持部と対向するように配置され、前記媒体支持部に支持された前記媒体を加熱する加熱部と、を備え、前記加熱部は、前記加熱部における前記媒体の搬送方向の下流側の端部に設けられたヒンジ部を回動中心として前記媒体支持部から離れるように回動可能になっている。
【０００８】
この構成によれば、加熱部を回動させた際には、加熱部における媒体の搬送方向の上流側の端部が媒体支持部から最も離れる。このため、加熱部と媒体支持部との間に媒体が詰まった場合に、当該詰まった媒体を容易に取り除くことができる。
【０００９】
上記記録装置は、前記加熱部の回動速度を減速するブレーキ機構を備えることが好ましい。
この構成によれば、加熱部を勢いよく回動させた場合でも加熱部の回動速度がブレーキ機構によって減速されるので、加熱部の回動によって加熱部や加熱部の周囲の部材が受ける衝撃を低減できる。
【００１０】
上記記録装置において、前記ブレーキ機構は、前記媒体支持部及び前記加熱部のうちの一方に設けられた係合部と、他方に設けられて前記係合部を摺動可能にガイドするガイド部とを備え、前記加熱部が回動された場合に、前記係合部と前記ガイド部との間の摺動抵抗によって前記加熱部の回動速度を減速することが好ましい。
【００１１】
この構成によれば、加熱部を勢いよく回動させた場合でも加熱部の回動速度を係合部とガイド部との間の摺動抵抗によって減速させることができる。
上記記録装置において、前記係合部は棒状部材によって構成され、前記ガイド部は前記棒状部材が摺動可能に挿入される長孔を有していることが好ましい。
【００１２】
この構成によれば、ブレーキ機構の構成を簡単にすることができる。
上記記録装置において、前記長孔には、その一部に前記棒状部材との間の摺動抵抗を増加させる摺動抵抗増加部が設けられていることが好ましい。
【００１３】
この構成によれば、加熱部を勢いよく回動させた場合でも棒状部材と長孔との間の摺動抵抗が摺動抵抗増加部において増加するので、加熱部の回動速度を効果的に減速することができる。
【００１４】
上記記録装置において、前記棒状部材は、前記ガイド部よりも硬い材料によって構成されていることが好ましい。
通常、棒状部材とガイド部とが同じ材料で構成された場合、棒状部材をガイド部の長孔に対して摺動させると、棒状部材における長孔と常に接触する部分が長孔との摩擦によって局所的に摩耗しやすいので、棒状部材の寿命が短くなってしまう。この点、この構成によれば、棒状部材がガイド部よりも硬い材料によって構成されているので、棒状部材の長孔との摩擦による摩耗が抑制される。このため、棒状部材の寿命を延ばすことができる。
【００１５】
上記記録装置において、前記加熱部が前記媒体支持部から最も離れた第１位置に回動したときに前記長孔における前記棒状部材が位置する第１領域の短手方向の幅及び前記加熱部が前記媒体支持部に最も近づいた第２位置に回動したときに前記長孔における前記棒状部材が位置する第２領域の短手方向の幅は、前記加熱部が前記第１位置と前記第２位置との間を回動するときの前記長孔における前記棒状部材が位置する第３領域の短手方向の幅よりも広いことが好ましい。
【００１６】
この構成によれば、長孔における第１領域及び第２領域での棒状部材に対する短手方向の相対移動可能な距離を、長孔における第３領域での棒状部材に対する短手方向の相対移動可能な距離よりも大きくすることができる。
【図面の簡単な説明】
【００１７】
【図１】第１実施形態のインクジェット式プリンターの側面模式図。
【図２】図１の要部拡大図。
【図３】第１実施形態における加熱ユニットの回動時の一動作を示す側面図。
【図４】第１実施形態における加熱ユニットの回動時の一動作を示す側面図。
【図５】第１実施形態における加熱ユニットの回動時の一動作を示す側面図。
【図６】第１実施形態における加熱ユニットの回動時の一動作を示す側面図。
【図７】第１実施形態における加熱ユニットの回動時の一動作を示す側面図。
【図８】第１実施形態における加熱ユニットの回動時の一動作を示す側面図。
【図９】第１実施形態における加熱ユニットの回動時の一動作を示す側面図。
【図１０】第２実施形態における棒状部材の斜視図。
【図１１】第２実施形態におけるフレームを外面側から見たときの斜視図。
【図１２】図１１の要部拡大図。
【図１３】第２実施形態における加熱ユニットの側面図。
【図１４】第２実施形態における棒状部材の回動位置を示す模式図。
【図１５】第２実施形態における加熱ユニットの回動時の一動作を示す側面図。
【図１６】第２実施形態における加熱ユニットの回動時の一動作を示す側面図。
【図１７】第２実施形態における加熱ユニットの回動時の一動作を示す側面図。
【図１８】第２実施形態における棒状部材の回動位置を示す模式図。
【図１９】第２実施形態における加熱ユニットの回動時の一動作を示す側面図。
【図２０】第２実施形態における棒状部材の回動位置を示す模式図。
【図２１】第２実施形態における加熱ユニットの回動時の一動作を示す側面図。
【図２２】第２実施形態における加熱ユニットの回動時の一動作を示す側面図。
【図２３】第２実施形態における加熱ユニットの回動時の一動作を示す側面図。
【図２４】第２実施形態における棒状部材の回動位置を示す模式図。
【図２５】第２実施形態における加熱ユニットの回動時の一動作を示す側面図。
【図２６】第２実施形態における加熱ユニットの回動時の一動作を示す側面図。
【図２７】第２実施形態における棒状部材の回動位置を示す模式図。
【図２８】第２実施形態における加熱ユニットの回動時の一動作を示す側面図。
【図２９】第２実施形態における加熱ユニットの回動時の一動作を示す側面図。
【図３０】第２実施形態における加熱ユニットの回動時の一動作を示す側面図。
【図３１】第２実施形態における加熱ユニットの回動時の一動作を示す側面図。
【発明を実施するための形態】
【００１８】
（第１実施形態）
以下、記録装置をインクジェット式プリンターに具体化した第１実施形態について、図面を参照して説明する。
【００１９】
図１に示すように、記録装置の一例としてのインクジェット式プリンター１１は、媒体の一例としての連続紙１２に液体の一例であるインクを吐出して連続紙１２に記録（印刷）する記録ユニット１３と、記録ユニット１３によって記録された後の連続紙１２を加熱して乾燥させる乾燥ユニット１４とを備えている。本実施形態のインクジェット式プリンター１１で使用されるインクは、例えば染料インクまたは顔料インクからなり、溶媒または分散媒として例えば水等の蒸発可能な液体成分を含んでいる。
【００２０】
記録ユニット１３は、連続紙１２を搬送経路に沿って案内可能に支持する支持面１５と、連続紙１２を支持面１５に沿って搬送する搬送機構１６と、搬送経路に沿って搬送される連続紙１２に向かってインクを吐出して記録（印刷）する記録部の一例としての記録機構１７とを備えている。記録機構１７は、支持面１５における水平な部分と対向する位置に配置された収容体１８に収容されている。
【００２１】
搬送機構１６は、ロール状に巻き重ねられた状態の記録される前の連続紙１２を回転可能に支持する第１回転軸１９と、記録された後の連続紙１２をロール状に巻き取る第２回転軸２０とを有している。第１回転軸１９は、連続紙１２が搬送される搬送経路の上流側の位置に配置されている。第２回転軸２０は、連続紙１２が搬送される搬送経路の下流側の位置に配置されている。
【００２２】
搬送機構１６は、図示しない給送モーターを動力源として第１回転軸１９を回転駆動させることにより、ロール状に巻き重ねられた状態の連続紙１２を巻き解きながら繰り出す。搬送機構１６は、図示しない巻取モーターを動力源として第２回転軸２０を回転駆動させることにより、記録された後の連続紙１２を巻き取る。
【００２３】
搬送機構１６は、連続紙１２の搬送経路の途中の位置に、連続紙１２に接した状態で回転する複数の搬送ローラー２１，２２を有している。連続紙１２の搬送経路における記録機構１７と対向する領域は、記録領域ＰＡとされている。搬送ローラー２１，２２は、連続紙１２の搬送経路における記録領域ＰＡを挟んだ上流側と下流側の各位置に配置されている。複数の搬送ローラー２１，２２は、図示しない搬送モーターを動力源として記録機構１７の記録動作に合わせて回転駆動され、連続紙１２を搬送方向Ｙに搬送する。
【００２４】
なお、本実施形態では、支持面１５に沿って搬送される連続紙１２の搬送経路に沿う方向を「搬送方向Ｙ」と言う。このため、搬送方向Ｙは、図１に実線の矢印で示すように、搬送経路の位置に応じて変化する。例えば、記録領域ＰＡでは搬送方向Ｙが水平方向となり、下流側の搬送ローラー２２から送り出された記録後の連続紙１２が第２回転軸２０に巻き取られるまでの搬送領域では搬送方向Ｙが下流側ほど低くなる斜め方向となる。
【００２５】
支持面１５は、第１回転軸１９から繰り出された連続紙１２を支持する第１支持面１５Ａと、搬送方向Ｙにおける搬送ローラー２１，２２の間の区間で連続紙１２を支持する第２支持面１５Ｂと、下流側の搬送ローラー２２よりも下流側で記録後の連続紙１２を支持する第３支持面１５Ｃとを有している。第２支持面１５Ｂは、搬送ローラー２１，２２の間の区間で連続紙１２を支持する支持台２３の上面によって構成されている。
【００２６】
乾燥ユニット１４は、連続紙１２の搬送経路における記録機構１７よりも下流側に配置されて記録機構１７によって記録された後の連続紙１２を支持する媒体支持部を構成する搬送台２４と、搬送台２４と対向するように配置されて搬送台２４に支持された記録後の連続紙１２を加熱する加熱部の一例としての加熱ユニット２５とを備えている。搬送台２４は、下流側の搬送ローラー２２と第２回転軸２０との間の搬送経路上の区間に配置されている。
【００２７】
搬送台２４の搬送方向Ｙと直交する幅方向Ｘの両側には、媒体支持部を構成する一対の板状のフレーム２６が搬送台２４を幅方向Ｘで挟んで対向するように固定状態で配置されている。搬送台２４及びフレーム２６は、共に幅方向Ｘから見て略直角三角形状をなしている。第３支持面１５Ｃは、記録後の連続紙１２を支持する搬送台２４の上面によって構成され、下流側ほど低くなるように傾斜している。本実施形態では、第３支持面１５Ｃの傾斜角度が約６０°に設定されている。
【００２８】
図１及び図２に示すように、加熱ユニット２５は、加熱ユニット２５における連続紙１２の搬送方向Ｙの下流側の端部（下端部）に設けられたヒンジ部２７を介して一対のフレーム２６に回動可能に支持されている。したがって、加熱ユニット２５は、ヒンジ部２７を回動中心として回動可能になっている。すなわち、加熱ユニット２５は、幅方向Ｘに延びる軸線を回動中心として、搬送台２４の上面（第３支持面１５Ｃ）と対向しながら搬送台２４から離れるように回動可能になっている。
【００２９】
つまり、加熱ユニット２５は、搬送台２４の第３支持面１５Ｃから最も離れた第１位置（図６に示す位置）と、搬送台２４の第３支持面１５Ｃに最も近づいた第２位置（図２に示す位置）との間で回動可能になっている。加熱ユニット２５は、第２位置にあるときには第３支持面１５Ｃと同様に水平面に対して約６０°傾斜し、第１位置にあるときには水平面に対して約８５°傾斜する。したがって、本実施形態の加熱ユニット２５の回動範囲は、約２５°に設定されている。
【００３０】
なお、本実施形態の加熱ユニット２５は、第１位置にあるときには上述したように水平面に対して９０°未満（約８５°）の角度で傾斜した状態となるが、この状態では加熱ユニット２５全体の重心の位置が水平面に対して９０°よりも大きく傾斜した角度の位置にある。このため、加熱ユニット２５は、第１位置で手を離しても、重力によって自然に第２位置側に倒れることなく安定して停止する。
【００３１】
図１に示すように、記録機構１７は、幅方向Ｘに延びるガイド軸２８と、ガイド軸２８に移動可能に支持されたキャリッジ２９と、キャリッジ２９の下部に支持された記録ヘッド３０とを備えている。そして、キャリッジ２９と共に記録ヘッド３０をガイド軸２８に沿って往復移動させながら記録ヘッド３０から記録領域ＰＡを搬送される連続紙１２に対してインクを吐出して付着させることで連続紙１２の記録（印刷）が行われる。
【００３２】
加熱ユニット２５は、加熱機構３１と、加熱機構３１を収容する筐体３２と、筐体３２内を循環する気流の通路となる送気路３３と、気流を発生させる送風機３４とを備えている。加熱機構３１は、第３支持面１５Ｃに支持された連続紙１２を加熱可能に、第３支持面１５Ｃと対向する位置に配置されている。加熱機構３１は、例えばヒーター管などによって構成される発熱体３１ａを有している。
【００３３】
発熱体３１ａは、第３支持面１５Ｃと対向する位置に搬送方向Ｙに間隔を置いて複数（本例では２つ）配置されている。発熱体３１ａに対して第３支持面１５Ｃ側とは反対側となる位置には、凹曲面状の反射面を有する反射板３１ｂが配置されている。したがって、発熱体３１ａの熱は、第３支持面１５Ｃに向かって輻射される。
【００３４】
筐体３２は、加熱機構３１を囲む内壁３５と、内壁３５の外側に配置される外壁３６と、外壁３６及び内壁３５と交差する一対の側壁３７とを有している。一対の側壁３７が互いに対向する幅方向Ｘにおける外壁３６及び内壁３５の両側は、一対の側壁３７により塞がれている。そして、外壁３６、内壁３５、及び側壁３７により加熱機構３１を囲むように形成される経路によって送気路３３が構成されている。送気路３３は、外気を取り込む吸気口３３ａと第３支持面１５Ｃに向けて開口する吹出口３３ｂとを有している。
【００３５】
送風機３４は、ファン３８を有しており、筐体３２内の上部における送気路３３内に配置されている。送風機３４は、図１に実線の矢印で示す方向に気流を発生させる位置態様で配置され、吸気口３３ａから送気路３３内に取り込んだ空気を吹出口３３ｂに向けて流動させる。吹出口３３ｂに繋がる送気路３３の下流部分は、吹出口３３ｂに向かって流路が狭められる形状になっており、第３支持面１５Ｃに対して斜め下流側へ向かって送風される角度で延設されている。
【００３６】
このため、吹出口３３ｂから吹き出した気流は、第３支持面１５Ｃ上の連続紙１２の表面（記録面）に沿って搬送方向Ｙに流れる。なお、加熱ユニット２５は、搬送方向Ｙよりも幅方向Ｘに長い形状になっているため、ファン３８は幅方向Ｘに複数並べて配置することが好ましい。
【００３７】
また、加熱機構３１は、搬送方向Ｙにおける吹出口３３ｂと吸気口３３ａとの間に相当する位置に配置されている。このため、吹出口３３ｂから吹き出される気流は加熱機構３１が加熱する加熱領域ＨＡを通過するので、連続紙１２の表面に付着したインクに含まれる水等の蒸発可能な液体成分の蒸発が促進される。
【００３８】
筐体３２における第３支持面１５Ｃに対向する加熱口３５ａには、金網３９が配置されている。このため、発熱体３１ａの熱は金網３９越しに第３支持面１５Ｃ上の連続紙１２に伝えられ、且つ吹出口３３ｂから吸気口３３ａに向かう気流は金網３９により第３支持面１５Ｃに沿って流れるように誘導される。
【００３９】
図２に示すように、一対のフレーム２６の内面の略中央部には、加熱ユニット２５の回動速度を減速するブレーキ機構を構成する係合部の一例としての幅方向Ｘに延びる円柱状の棒状部材４１が設けられている。棒状部材４１は、金属によって構成されている。一対のフレーム２６の内面における棒状部材４１の上方には、磁石４２が設けられている。加熱ユニット２５の筐体３２の幅方向Ｘの両側における棒状部材４１と対応する位置には、板状の舌片部４３がそれぞれ設けられている。
【００４０】
舌片部４３には、加熱ユニット２５の回動速度を減速するブレーキ機構を構成する略矩形板状のガイド部４４の基端側が幅方向Ｘに延びる軸４５を介して回動可能に支持されている。ガイド部４４は、合成樹脂によって構成されている。したがって、棒状部材４１は、ガイド部４４よりも硬い材料によって構成されている。ガイド部４４は、自重によって斜め下方に垂れ下がるように、軸４５を介して舌片部４３に支持されている。ガイド部４４における先端部の上面には、金属などの磁性体によって構成されたプレート４６が固定されている。ガイド部４４における先端部の下面には、フック部４７が形成されている。
【００４１】
ガイド部４４の中央部には、長手方向に延びる長孔４８が形成されている。長孔４８には、棒状部材４１が摺動可能に挿入されている。ガイド部４４の長孔４８は、棒状部材４１を摺動可能にガイドする。一対のフレーム２６の内面における下端部には、鉛直方向に延びる矩形板状のストッパー４９が配置されている。ストッパー４９の基端部は、フレーム２６に設けられた幅方向Ｘに延びる軸５０を中心に回動可能に支持されている。ストッパー４９の先端部には、幅方向Ｘに延びるピン５１が設けられている。
【００４２】
ストッパー４９は、例えばソレノイドなどの図示しないアクチュエーターにより、軸５０を回動中心として回動される。すなわち、ストッパー４９は、加熱ユニット２５が第２位置（図２に示す位置）にあるときに、ピン５１がガイド部４４のフック部４７を係止する係止位置（図２に示す位置）と、ピン５１がガイド部４４のフック部４７を係止しない非係止位置（図３に示す位置）との間で回動される。したがって、ストッパー４９が係止位置にあるときには加熱ユニット２５の回動が規制され、ストッパー４９が非係止位置にあるときには加熱ユニット２５の回動が許容される。
【００４３】
ガイド部４４は、加熱ユニット２５の第１位置（図６に示す位置）と第２位置（図２に示す位置）との間での回動に伴って移動することにより、長孔４８での棒状部材４１の位置が変化する。そして、加熱ユニット２５が回動された場合には、ガイド部４４の長孔４８と棒状部材４１との間の摺動抵抗によって加熱ユニット２５の回動速度が減速される。
【００４４】
加熱ユニット２５が第１位置に回動したときの長孔４８における棒状部材４１が位置する領域は、第１領域５２とされている。第１領域５２は、ガイド部４４における先端側に位置している。加熱ユニット２５が第２位置に回動したときの長孔４８における棒状部材４１が位置する領域は、第２領域５３とされている。第２領域５３は、ガイド部４４における基端側に位置している。
【００４５】
加熱ユニット２５が第１位置と第２位置との間を回動するときの長孔４８における棒状部材４１が位置する領域は、第３領域５４とされている。長孔４８の短手方向における第１領域５２及び第２領域５３のそれぞれの幅は、長孔４８の短手方向における第３領域５４の幅よりも広くなっている。
【００４６】
長孔４８における第３領域５４の一部である中央部には、第３領域５４における中央部以外の部分よりも短手方向の幅を狭くして棒状部材４１との間の摺動抵抗を増加させる摺動抵抗増加部５５が設けられている。摺動抵抗増加部５５では、第３領域５４における摺動抵抗増加部５５以外の部分よりも棒状部材４１との干渉量が大きくなる。長孔４８における摺動抵抗増加部５５では、長孔４８の短手方向の両壁が内側に膨らむように湾曲している。長孔４８の短手方向における第３領域５４の摺動抵抗増加部５５以外の幅は、棒状部材４１の外径よりも僅かに大きくなるように設定されている。
【００４７】
長孔４８における第１領域５２には、プレート４６側に長孔４８を広げる略矩形状の第１凹部５６と、フック部４７側に長孔４８を広げる略矩形状の第２凹部５７とが形成されている。ガイド部４４の長手方向における第１凹部５６の幅は、棒状部材４１の外径よりも若干大きくなるように設定されている。ガイド部４４の長手方向における第２凹部５７の幅は、ガイド部４４の長手方向における第１凹部５６の幅の２倍程度となるように設定されている。第１凹部５６及び第２凹部５７のそれぞれの深さは、棒状部材４１の外径よりも大きくなるように設定されている。
【００４８】
長孔４８における第２領域５３には、短手方向におけるフック部４７側に長孔４８を広げる略矩形状の第３凹部５８が形成されている。ガイド部４４の長手方向における第３凹部５８の幅は、棒状部材４１の外径よりも若干大きくなるように設定されている。第３凹部５８の深さは、棒状部材４１の外径の半分以下となるように設定されている。
【００４９】
次に、インクジェット式プリンター１１の作用について説明する。
図１及び図２に示すように、インクジェット式プリンター１１を稼動させると、第１回転軸１９から搬送機構１６によって繰り出される連続紙１２は、記録領域ＰＡを搬送される過程で記録ヘッド３０から吐出されるインクが付着されることによって記録（印刷）される。記録後の連続紙１２は、搬送台２４の第３支持面１５Ｃを搬送される過程で加熱ユニット２５によって加熱されて乾燥された後、第２回転軸２０に巻き取られる。このとき、加熱ユニット２５は、第２位置に配置されている。
【００５０】
そして、インクジェット式プリンター１１の稼動中に、加熱ユニット２５と第３支持面１５Ｃとの間で連続紙１２が詰まった場合には、この詰まった連続紙１２を取り除く必要がある。加熱ユニット２５と第３支持面１５Ｃとの間に詰まった連続紙１２を取り除く場合には、インクジェット式プリンター１１を停止させた状態で、加熱ユニット２５を第２位置から第１位置へ回動させる必要がある。
【００５１】
そして、加熱ユニット２５を第２位置から第１位置へ回動させる場合には、まず、図３に示すように、ストッパー４９を係止位置から非係止位置へ回動させる。すると、ストッパー４９のピン５１によるガイド部４４のフック部４７の係止状態が解除され、加熱ユニット２５の第２位置から第１位置への回動が許容される。続いて、加熱ユニット２５を第１位置へ向けて回動させると、この回動に伴ってガイド部４４も移動するため、図４に示すように、フレーム２６に固定された状態の棒状部材４１が長孔４８内を相対的に第２領域５３から第３領域５４へと摺動する。
【００５２】
このとき、第３領域５４における摺動抵抗増加部５５では長孔４８と棒状部材４１との間の摺動抵抗を増加するため、特に加熱ユニット２５を勢いよく回動させた場合には加熱ユニット２５の回動速度が減速される。続いて、加熱ユニット２５を第１位置まで回動させると、図５に示すように、フレーム２６に固定された状態の棒状部材４１が長孔４８内を相対的に第３領域５４から第１領域５２へと摺動する。
【００５３】
すると、ガイド部４４は重力によってその先端部が落下するように軸４５を回動中心として回動するため、図６に示すように、棒状部材４１が第１凹部５６に入り込む。これにより、棒状部材４１と第１凹部５６とが加熱ユニット２５の回動方向において係合するため、加熱ユニット２５の回動が規制される。このため、加熱ユニット２５は、第１位置で安定して停止する。
【００５４】
続いて、加熱ユニット２５と第３支持面１５Ｃ（図１参照）との間に詰まった連続紙１２（図１参照）を取り除く。このとき、加熱ユニット２５と第３支持面１５Ｃ（図１参照）との間隔は上側ほど広くなっているため、詰まった連続紙１２（図１参照）に対して上側から容易にアクセスできるので、この詰まった連続紙１２を容易に取り除くことができる。
【００５５】
詰まった連続紙１２（図１参照）を取り除いた後は、インクジェット式プリンター１１を再び稼動させる必要があるが、インクジェット式プリンター１１を再び稼動させるには、加熱ユニット２５を第１位置から第２位置へ回動させる必要がある。そして、加熱ユニット２５を第１位置から第２位置へ回動させる場合には、まず、図７に示すように、ガイド部４４をその先端部が上昇するように軸４５を回動中心として回動させると、プレート４６が磁石４２に吸着される。
【００５６】
すると、棒状部材４１が第１凹部５６から出て第２凹部５７に入り込むため、棒状部材４１と第１凹部５６との加熱ユニット２５の回動方向における係合状態が解除される。これにより、加熱ユニット２５の回動が許容される。続いて、加熱ユニット２５を第２位置へ向けて回動させると、この回動に伴ってガイド部４４も移動するため、図８に示すように、フレーム２６に固定された状態の棒状部材４１が第２凹部５７内を相対的に移動して棒状部材４１が長孔４８の短手方向において第１凹部５６と対向しない位置に配置される。
【００５７】
このとき、プレート４６は、磁石４２上を摺動して磁石４２に吸着される位置からずれた位置に移動する。すると、プレート４６が磁石４２から外れるため、図９に示すように、ガイド部４４は重力によってその先端部が落下するように軸４５を回動中心として回動する。これにより、棒状部材４１は、第２凹部５７から出て長孔４８の長手方向において第３領域５４を臨む位置に配置される。
【００５８】
続いて、加熱ユニット２５を第２位置へ向けて回動させると、この回動に伴ってガイド部４４も移動するため、図４に示すように、フレーム２６に固定された状態の棒状部材４１が長孔４８内を相対的に第１領域５２から第３領域５４へと摺動する。このとき、第３領域５４における摺動抵抗増加部５５では長孔４８と棒状部材４１との間の摺動抵抗を増加するため、特に加熱ユニット２５が重くて重力の加担により勢いよく回動される場合には加熱ユニット２５の回動速度が効果的に減速される。
【００５９】
続いて、加熱ユニット２５を第２位置まで回動させると、この回動に伴ってガイド部４４も移動するため、図３に示すように、フレーム２６に固定された状態の棒状部材４１が長孔４８内を相対的に第３領域５４から第２領域５３へと摺動する。続いて、ストッパー４９を非係止位置から係止位置へ回動させる。すると、図２に示すように、ストッパー４９のピン５１によってガイド部４４のフック部４７が係止され、加熱ユニット２５の第２位置から第１位置への回動が規制される。その後、インクジェット式プリンター１１が稼動される。
【００６０】
以上、詳述した第１実施形態によれば以下の効果を得ることができる。
（１−１）インクジェット式プリンター１１において、加熱ユニット２５は、加熱ユニット２５における連続紙１２の搬送方向Ｙの下流側の端部に設けられたヒンジ部２７を回動中心として搬送台２４から離れるように回動可能になっている。この構成によれば、加熱ユニット２５を第１位置へ回動させた際には、加熱ユニット２５における連続紙１２の搬送方向Ｙの上流側の端部（上端部）が搬送台２４から最も離れる。このため、加熱ユニット２５と搬送台２４との間に連続紙１２が詰まった場合に、当該詰まった連続紙１２を容易に取り除くことができる。
【００６１】
（１−２）インクジェット式プリンター１１は、加熱ユニット２５の回動速度を減速するブレーキ機構を備えている。この構成によれば、加熱ユニット２５を勢いよく回動させた場合でも加熱ユニット２５の回動速度をブレーキ機構によって減速させることができるので、加熱ユニット２５の回動によって加熱ユニット２５や加熱ユニット２５の周囲の部材が受ける衝撃を低減できる。
【００６２】
（１−３）インクジェット式プリンター１１において、ブレーキ機構は、フレーム２６に設けられた棒状部材４１と、加熱ユニット２５に設けられて棒状部材４１を摺動可能にガイドする長孔４８を有したガイド部４４とを備え、加熱ユニット２５が回動された場合に、棒状部材４１と長孔４８との間の摺動抵抗によって加熱ユニット２５の回動速度を減速する。この構成によれば、ブレーキ機構の構成を簡単にすることができるとともに、加熱ユニット２５を勢いよく回動させた場合でも加熱ユニット２５の回動速度を棒状部材４１と長孔４８との間の摺動抵抗によって減速させることができる。
【００６３】
（１−４）インクジェット式プリンター１１において、長孔４８には、その一部に棒状部材４１との間の摺動抵抗を増加させる摺動抵抗増加部５５が設けられている。この構成によれば、加熱ユニットを勢いよく回動させた場合でも棒状部材４１と長孔４８との間の摺動抵抗を摺動抵抗増加部５５において増加させることができるので、加熱ユニット２５の回動速度を効果的に減速することができる。
【００６４】
（１−５）インクジェット式プリンター１１において、棒状部材４１は、ガイド部４４よりも硬い材料によって構成されている。通常、棒状部材４１とガイド部４４とが同じ材料で構成された場合、棒状部材４１をガイド部４４の長孔４８に対して相対的に摺動させると、棒状部材４１における長孔４８と常に接触する部分が長孔４８との摩擦によって局所的に摩耗しやすいので、棒状部材４１の寿命がガイド部４４の寿命よりも短くなってしまう。この点、この構成によれば、棒状部材４１がガイド部４４よりも硬い材料によって構成されているので、棒状部材４１の長孔４８との摩擦による摩耗を抑制できる。このため、棒状部材４１の寿命を延ばすことができる。
【００６５】
（１−６）インクジェット式プリンター１１において、長孔４８における第１領域５２の短手方向の幅及び長孔４８における第２領域５３の短手方向の幅は、長孔４８における第３領域５４の短手方向の幅よりも広い。この構成によれば、長孔４８における第１領域５２及び第２領域５３での棒状部材４１に対する短手方向の相対移動可能な距離を、長孔４８における第３領域５４での棒状部材４１に対する短手方向の相対移動可能な距離よりも大きくすることができる。
【００６６】
（第２実施形態）
次に、記録装置の第２実施形態を図面に従って説明する。
この第２実施形態は、上記第１実施形態のインクジェット式プリンター１１において、ガイド部４４の長孔４８を長孔４８よりも一回り大きい図１３に示す長孔６１に変更するとともに摺動抵抗増加部５５を省略し、且つ棒状部材４１を図１０に示す棒状部材６２に変更したものであり、その他の点では第１実施形態とほぼ同じである。このため、この第２実施形態では、上記第１実施形態と同一の部材については同一符号を付すことによって重複した説明は省略する。
【００６７】
図１０に示すように、棒状部材６２は、円柱状の本体部６３と、本体部６３の一部に設けられた略楕円柱状の摺動部６４と、本体部６３の一方側の端面に形成された中心角が９０°の扇形状の凸部６５とを備えている。凸部６５の円弧の中心は、本体部６３の中心軸線上に位置している。摺動部６４の一部には、切欠部６６が形成されている。
【００６８】
図１１及び図１２に示すように、フレーム２６には棒状部材６２の本体部６３が回転可能に挿入される図示しない真円形状の貫通孔が設けられ、フレーム２６の外面には当該貫通孔と対応する中心角が２７０°の扇形状の挿入孔６７を有した四角形状の規制板６８が４つのねじ６９によって取り付けられている。挿入孔６７の円弧の中心は、棒状部材６２の本体部６３（図１０参照）の中心軸線上に位置している。挿入孔６７には、棒状部材６２の本体部６３（図１０参照）をフレーム２６の図示しない貫通孔に内面側から挿入した際に、棒状部材６２の凸部６５が挿入される。したがって、棒状部材６２の回動範囲は、凸部６５の挿入孔６７への挿入により、１８０°に制限される。
【００６９】
図１３に示すように、ガイド部４４の長孔６１には、棒状部材６２の摺動部６４が相対的に摺動可能に挿入されている。長孔６１の第３領域５４の短手方向の幅は、摺動部６４の短径よりも広く、且つ摺動部６４の長径よりも狭くなっている。長孔６１の第１領域５２及び第２領域５３の短手方向の幅は、摺動部６４の長径よりも広くなっている。長孔６１の第２領域５３には、棒状部材６２の摺動部６４の切欠部６６と係合可能な突起部７０が形成されている。長孔６１の第２凹部５７の底面の中央部には、段差７１が形成されている。
【００７０】
次に、インクジェット式プリンター１１の作用について説明する。
図１及び図１３に示すように、インクジェット式プリンター１１を稼動させると、第１回転軸１９から搬送機構１６によって繰り出される連続紙１２は、記録領域ＰＡを搬送される過程で記録ヘッド３０から吐出されるインクが付着されることによって記録（印刷）される。記録後の連続紙１２は、搬送台２４の第３支持面１５Ｃを搬送される過程で加熱ユニット２５によって加熱されて乾燥された後、第２回転軸２０に巻き取られる。
【００７１】
このとき、加熱ユニット２５は、第２位置に配置されている。さらにこのとき、図１４に示すように、棒状部材６２の凸部６５は、棒状部材６２の回動方向における時計方向及び反時計方向の両方において挿入孔６７との間に隙間が形成される位置に位置している。したがって、棒状部材６２は、時計方向及び反時計方向の両方への回動が許容されている。
【００７２】
そして、インクジェット式プリンター１１の稼動中に、加熱ユニット２５と第３支持面１５Ｃとの間で連続紙１２が詰まった場合には、この詰まった連続紙１２を取り除く必要がある。加熱ユニット２５と第３支持面１５Ｃとの間に詰まった連続紙１２を取り除く場合には、インクジェット式プリンター１１を停止させた状態で、加熱ユニット２５を第２位置から第１位置へ回動させる必要がある。
【００７３】
そして、加熱ユニット２５を第２位置から第１位置へ回動させる場合には、まず、図１５に示すように、ストッパー４９を係止位置から非係止位置へ回動させる。すると、ストッパー４９のピン５１によるガイド部４４のフック部４７の係止状態が解除され、加熱ユニット２５の第２位置から第１位置への回動が許容される。続いて、加熱ユニット２５を第１位置へ向けて回動させると、この回動に伴ってガイド部４４も移動するため、図１６に示すように、フレーム２６に回転可能に支持された状態の棒状部材６２が長孔６１内を相対的に第３領域５４へ向かって摺動する。
【００７４】
このとき、棒状部材６２の摺動部６４の一部に第３凹部５８の側壁が当接する。引き続き加熱ユニット２５を第１位置へ向けて回動させると、図１７に示すように、棒状部材６２の摺動部６４の一部が第３凹部５８の側壁によって押圧されて棒状部材６２が時計方向に少し回動する。すなわち、棒状部材６２は、図１４に示す位置態様から図１８に示す位置態様へと回動する。
【００７５】
引き続き加熱ユニット２５を第１位置へ向けて回動させると、図１９に示すように、棒状部材６２の摺動部６４の一部が第３凹部５８の側壁によってさらに押圧されて棒状部材６２が時計方向に少し回動する。すなわち、棒状部材６２は、図１８に示す位置態様から図２０に示す位置態様へと回動する。このとき、ガイド部４４は重力によってその先端部が落下するように軸４５を回動中心として少し回動する。これにより、棒状部材６２の摺動部６４の長手方向と長孔６１の長手方向とが一致する。このため、棒状部材６２の摺動部６４は、長孔６１の上側の壁面に接触し、且つ長孔６１の下側の壁面に接触しない状態となる。
【００７６】
引き続き加熱ユニット２５を第１位置へ向けて回動させると、図２１に示すように、棒状部材６２が長孔６１内の第３領域５４を相対的に第１領域５２へ向かって摺動する。このとき、棒状部材６２の摺動部６４は、長孔６１内の上側の壁面にのみ摺接している。したがって、棒状部材６２の摺動部６４が長孔６１内の上側及び下側の両方の壁面に摺接する場合に比べて、棒状部材６２の摺動部６４と長孔６１との間の摺動抵抗が小さくなる。すなわち、棒状部材６２が長孔６１内の第３領域５４を相対的に第１領域５２へ向かって摺動する際には、棒状部材６２の摺動部６４と長孔６１との間の摺動抵抗による比較的小さいブレーキがかかる。
【００７７】
続いて、加熱ユニット２５を第１位置まで回動させると、図２２に示すように、フレーム２６に回動可能に支持された状態の棒状部材６２が長孔６１内を相対的に第３領域５４から第１領域５２へと摺動する。
【００７８】
すると、ガイド部４４は重力によってその先端部が落下するように軸４５を回動中心として回動するため、図２３に示すように、棒状部材６２が第１凹部５６に入り込む。このとき、棒状部材６２の摺動部６４の一部が第１凹部５６の開口付近の角部と係合することにより、棒状部材６２が反時計方向に回動される。すなわち、棒状部材６２は、図２０に示す位置態様から図２４に示す位置態様へと回動する。
【００７９】
これにより、棒状部材６２の摺動部６４と第１凹部５６とが加熱ユニット２５の回動方向において係合するため、加熱ユニット２５の回動が規制される。このため、加熱ユニット２５は、第１位置で安定して停止する。
【００８０】
続いて、加熱ユニット２５と第３支持面１５Ｃ（図１参照）との間に詰まった連続紙１２（図１参照）を取り除く。このとき、加熱ユニット２５と第３支持面１５Ｃ（図１参照）との間隔は上側ほど広くなっているため、詰まった連続紙１２（図１参照）に対して上側から容易にアクセスできるので、この詰まった連続紙１２を容易に取り除くことができる。
【００８１】
詰まった連続紙１２（図１参照）を取り除いた後は、インクジェット式プリンター１１を再び稼動させる必要があるが、インクジェット式プリンター１１を再び稼動させるには、加熱ユニット２５を第１位置から第２位置へ回動させる必要がある。そして、加熱ユニット２５を第１位置から第２位置へ回動させる場合には、まず、図２５に示すように、ガイド部４４をその先端部が上昇するように軸４５を回動中心として回動させると、プレート４６が磁石４２に吸着される。
【００８２】
すると、棒状部材６２が第１凹部５６から出て第２凹部５７に入り込むため、棒状部材６２の摺動部６４と第１凹部５６との加熱ユニット２５の回動方向における係合状態が解除される。これにより、加熱ユニット２５の回動が許容される。このとき、棒状部材６２の摺動部６４は、長孔６１内のいずれの壁面にも接触しない。
【００８３】
続いて、加熱ユニット２５を第２位置へ向けて回動させると、図２６に示すように、棒状部材６２の摺動部６４の一部が段差７１に係合し、棒状部材６２が少し反時計方向に回動される。すなわち、棒状部材６２は、図２４に示す位置態様から図２７に示す位置態様へと回動する。つまり、棒状部材６２は、これ以上反時計方向へは回動できない位置まで反時計方向へ回動する。
【００８４】
続いて、加熱ユニット２５を第２位置へ向けて回動させると、この回動に伴ってガイド部４４も移動するため、図２８に示すように、フレーム２６に回動可能に支持された状態の棒状部材６２が第２凹部５７内を相対的に移動して棒状部材６２が長孔６１の短手方向において第１凹部５６と対向しない位置に配置される。
【００８５】
このとき、プレート４６は、磁石４２上を摺動して磁石４２に吸着される位置からずれた位置に移動する。すると、プレート４６が磁石４２から外れるため、図２９に示すように、ガイド部４４は重力によってその先端部が落下するように軸４５を回動中心として回動する。これにより、棒状部材６２は、第２凹部５７から出て長孔６１の長手方向において第３領域５４を臨む位置に配置される。
【００８６】
このとき、棒状部材６２の摺動部６４にはガイド部４４から反時計方向に回動させる荷重が作用するが、上述のように棒状部材６２はこれ以上反時計方向へは回動できない。このため、棒状部材６２が反時計方向に回動することはない。続いて、加熱ユニット２５を第２位置へ向けて回動させると、この回動に伴ってガイド部４４も移動するため、図３０に示すように、フレーム２６に回動可能に支持された状態の棒状部材６２が長孔６１内を相対的に第１領域５２から第３領域５４へと摺動する。
【００８７】
このとき、長孔６１の第３領域５４では、棒状部材６２の摺動部６４が長孔６１内の上側及び下側の両方の壁面に摺接する。このため、棒状部材６２の摺動部６４が長孔６１内の上側の壁面にだけ摺接する場合に比べて、棒状部材６２の摺動部６４と長孔６１との間の摺動抵抗が大きくなる。
【００８８】
すなわち、棒状部材６２が長孔６１内の第３領域５４を相対的に第２領域５３へ向かって摺動する際には、棒状部材６２の摺動部６４と長孔６１との間の摺動抵抗による比較的大きいブレーキがかかる。このため、このブレーキの効果により、特に加熱ユニット２５が重くて重力の加担により勢いよく回動される場合には、加熱ユニット２５の回動速度が効果的に減速される。
【００８９】
続いて、加熱ユニット２５を第２位置へ向けて回動させると、この回動に伴ってガイド部４４も移動するため、図３１に示すように、フレーム２６に回動可能に支持された状態の棒状部材６２が長孔６１内を相対的に第３領域５４から第２領域５３へと摺動する。このとき、棒状部材６２の摺動部６４の切欠部６６は、長孔６１内の第２領域５３の突起部７０と係合する。
【００９０】
続いて、加熱ユニット２５を第２位置まで回動させると、突起部７０によって棒状部材６２の摺動部６４の切欠部６６が押圧されるので、図１５に示すように、棒状部材６２が時計方向に少し回動される。すなわち、棒状部材６２は、図２７に示す位置態様から図１４に示す位置態様へと回動する。
【００９１】
続いて、ストッパー４９を非係止位置から係止位置へ回動させる。すると、図１３に示すように、ストッパー４９のピン５１によってガイド部４４のフック部４７が係止され、加熱ユニット２５の第２位置から第１位置への回動が規制される。その後、インクジェット式プリンター１１が稼動される。
【００９２】
以上、詳述した第２実施形態によれば、上記（１−１）〜（１−６）に記載の効果に加えて、以下の効果を得ることができる。
（２−１）インクジェット式プリンター１１において、加熱ユニット２５を第２位置から第１位置へ回動させるときの長孔６１の第３領域５４と棒状部材６２の摺動部６４との間の摺動抵抗を、加熱ユニット２５を第１位置から第２位置へ回動させるときの長孔６１の第３領域５４と棒状部材６２の摺動部６４との間の摺動抵抗よりも小さくすることができる。このため、加熱ユニット２５を重力に抗して第２位置から第１位置へ回動させるときには長孔６１の第３領域５４でのブレーキの効果を小さくでき、且つ加熱ユニット２５を重力の利用によって第１位置から第２位置へ回動させるときには長孔６１の第３領域５４でのブレーキの効果を大きくすることができる。したがって、加熱ユニット２５が重い場合でも、加熱ユニット２５を第２位置から第１位置へ容易に回動させることができ、且つ加熱ユニット２５を第１位置から第２位置へ容易にゆっくりと回動させることができる。
【００９３】
（変更例）
なお、上記各実施形態は以下のように変更してもよい。
・ガイド部４４の長孔４８における第１領域５２の短手方向の幅及び長孔４８における第２領域５３の短手方向の幅は、必ずしも長孔４８における第３領域５４の短手方向の幅よりも広くする必要はない。
【００９４】
・棒状部材４１は、必ずしもガイド部４４よりも硬い材料によって構成する必要はない。例えば、棒状部材４１とガイド部４４とを同じ材料によって構成してもよいし、棒状部材４１をガイド部４４よりも軟らかい材料によって構成してもよい。
【００９５】
・ガイド部４４の長孔４８における摺動抵抗増加部５５は省略してもよい。
・ガイド部４４の長孔４８における摺動抵抗増加部５５は、長孔４８の一部を蛇行させることによって構成してもよい。
【００９６】
・ガイド部４４の長孔４８は、切り欠き溝に変更してもよい。
・ガイド部４４の長孔４８は、長手方向に沿って幅が徐々に変化するテーパー形状にしてもよい。
【００９７】
・ガイド部４４の長孔４８における第２凹部５７と第３領域５４との間の段差は、なだらかな斜面に変更してもよい。
・ブレーキ機構は省略してもよい。
【００９８】
・ガイド部４４をフレーム２６に設け、棒状部材４１を加熱ユニット２５に設けるようにしてもよい。
・記録装置は、印刷技術（インクジェット技術）を用いて電子部品の一部を製造する工業用の装置でもよい。例えば、記録装置が液晶ディスプレイ、ＥＬ（エレクトロルミネッセンス）ディスプレイ及び面発光ディスプレイの製造などに用いられ、電極材または色材（画素材料）などを液体の吐出により形成してもよい。
【符号の説明】
【００９９】
１１…記録装置の一例としてのインクジェット式プリンター、１２…媒体の一例としての連続紙、１３…記録ユニット、１４…乾燥ユニット、１５…支持面、１５Ａ…第１支持面、１５Ｂ…第２支持面、１５Ｃ…第３支持面、１６…搬送機構、１７…記録部の一例としての記録機構、１８…収容体、１９…第１回転軸、２０…第２回転軸、２１…搬送ローラー、２２…搬送ローラー、２３…支持台、２４…媒体支持部を構成する搬送台、２５…加熱部の一例としての加熱ユニット、２６…媒体支持部を構成するフレーム、２７…ヒンジ部、２８…ガイド軸、２９…キャリッジ、３０…記録ヘッド、３１…加熱機構、３１ａ…発熱体、３１ｂ…反射板、３２…筐体、３３…送気路、３３ａ…吸気口、３３ｂ…吹出口、３４…送風機、３５…内壁、３５ａ…加熱口、３６…外壁、３７…側壁、３８…ファン、３９…金網、４１，６２…ブレーキ機構を構成する係合部の一例としての棒状部材、４２…磁石、４３…舌片部、４４…ブレーキ機構を構成するガイド部、４５…軸、４６…プレート、４７…フック部、４８，６１…長孔、４９…ストッパー、５０…軸、５１…ピン、５２…第１領域、５３…第２領域、５４…第３領域、５５…摺動抵抗増加部、５６…第１凹部、５７…第２凹部、５８…第３凹部、６３…本体部、６４…摺動部、６５…凸部、６６…切欠部、６７…挿入孔、６８…規制板、６９…ねじ、７０…突起部、７１…段差、Ｘ…幅方向、Ｙ…搬送方向、ＨＡ…加熱領域、ＰＡ…記録領域。
【図１】
2019171614.tif 000003
【図２】
2019171614.tif 000004
【図３】
2019171614.tif 000005
【図４】
2019171614.tif 000006
【図５】
2019171614.tif 000007
【図６】
2019171614.tif 000008
【図７】
2019171614.tif 000009
【図８】
2019171614.tif 000010
【図９】
2019171614.tif 000011
【図１０】
2019171614.tif 000012
【図１１】
2019171614.tif 000013
【図１２】
2019171614.tif 000014
【図１３】
2019171614.tif 000015
【図１４】
2019171614.tif 000016
【図１５】
2019171614.tif 000017
【図１６】
2019171614.tif 000018
【図１７】
2019171614.tif 000019
【図１８】
2019171614.tif 000020
【図１９】
2019171614.tif 000021
【図２０】
2019171614.tif 000022
【図２１】
2019171614.tif 000023
【図２２】
2019171614.tif 000024
【図２３】
2019171614.tif 000025
【図２４】
2019171614.tif 000026
【図２５】
2019171614.tif 000027
【図２６】
2019171614.tif 000028
【図２７】
2019171614.tif 000029
【図２８】
2019171614.tif 000030
【図２９】
2019171614.tif 000031
【図３０】
2019171614.tif 000032
【図３１】
2019171614.tif 000033